(57)【要約】【課題】  浴槽壁や浴槽湯水に対する振動伝達を遮断しつつ低音域を十分に再生させ、高品質の音楽付与と心地良い入浴環境の確保との両立を図り得る浴槽用頭部支持具を提供する。【解決手段】  硬質の筐体４の中央部位に凹部４１を形成し、凹部にクッション体５を嵌め込む。筐体の両側部位に中高温域再生用の空気振動式のスピーカ６，６を設置し、クッション体の両側部位に低音域再生用の骨伝導スピーカ７，７を設置する。クッション体が弾性変形することにより頭部Ｈを支持しつつ骨伝導スピーカを密着させる一方、弾性変形しても骨伝導スピーカが筐体に接触しないように凹部の深さと弾性特性とを設定する。これにより、骨伝導スピーカからの振動が筐体や浴槽に伝達されることを遮断する。【選択図】      図３
2007228306.tif 000002
【特許請求の範囲】
【請求項１】
浴槽内の入浴者の頭部を支持するように構成される一方、音声再生用のスピーカ部が内蔵された浴槽用頭部支持具であって、
上記スピーカ部として、空気振動式のスピーカと、骨伝導式の骨伝導スピーカとを備えている
ことを特徴とする浴槽用頭部支持具。
【請求項２】
請求項１に記載の浴槽用頭部支持具であって、
上記骨伝導スピーカが中央寄りの位置に配置される一方、その骨伝導スピーカを左右両側から挟むように空気振動式のスピーカが配置されている、浴槽用頭部支持具。
【請求項３】
請求項１又は請求項２に記載の浴槽用頭部支持具であって、
形状を保持し得る硬質の支持具本体と、入浴者の頭部を軟支持し得る軟質の頭部支持部とを備え、
上記頭部支持部が上記支持具本体の中央部位に配設される一方、この頭部支持部内の上表面寄り位置に位置するよう上記骨伝導スピーカが内蔵されている、浴槽用頭部支持具。
【請求項４】
請求項３に記載の浴槽用頭部支持具であって、
上記頭部支持部は、入浴者の頭部が載せられてその頭部からの荷重が作用した状態においても骨伝導スピーカが支持具本体側に対し非接触状態を維持するように骨伝導スピーカを内蔵支持するように構成されている、浴槽用頭部支持具。
【請求項５】
請求項１〜請求項４のいずれかに記載の浴槽用頭部支持具であって、
上記骨伝導スピーカにより低音域が再生されるよう構成されている、浴槽用頭部支持具。
【請求項６】
請求項１〜請求項５のいずれかに記載の浴槽用頭部支持具であって、
上記スピーカ部に対し外部から信号及び／又は電源を供給する接続線を着脱可能に接続するためのコネクタ構造が配設され、
このコネクタ構造は防水用の壁を介して非接触で導通接続し得るように構成されている、浴槽用頭部支持具。
【発明の詳細な説明】
【技術分野】
【０００１】
本発明は、浴室という特殊空間内において入浴者が快適にかつ心地よく高品質の音楽等を楽しめるようにした浴槽用頭部支持具に関する。
【背景技術】
【０００２】
浴室では内壁面や天井面が防水等の観点から素材選択されている上に、浴室内の空間自体の容積が比較的小さいものであるため、浴室内の空間に音楽を流すと、壁面反射したり共鳴したりし易く、音響特性上大きな影響を受けることになるという状況にある。このため、入浴者の耳元で最低限の音量の再生音を直接聴かせるというスピーカ付き浴槽（例えば特許文献１参照）や、入浴者の身体に対しボディソニック効果を与える浴室又は浴槽（例えば特許文献２又は特許文献３参照）が提案されている。
【０００３】
上記の特許文献１で提案のものでは、浴槽内の入浴者の頭を左右両側から挟み込むように２つの凸部を浴槽の頂部フランジから突出させて形成し、この２つの凸部の相対向する内側の各面にスピーカを設置するようにしている。又、特許文献２で提案のものでは、スピーカを浴室の側壁に設ける一方、浴槽内の背持たれ部からフットレスト部までにかけての内底面上を覆うような振動体を設置し、浴槽外の音響装置から低温領域の音を振動として振動体に伝達してこの振動体の上に座した入浴者に対しボディソニック効果を与えるようにしている。さらに、特許文献３で提案のものでは、振動伝達率の高い材質で形成した浴槽壁に対し外側から音響用振動発生器を設置し、これからの振動を湯水に伝搬させ、この湯水を介して入浴者の身体に振動を伝達させようとしている。
【０００４】
【特許文献１】特開平５−１０３７３１号公報
【特許文献２】実開平４−６４４６号公報
【特許文献３】特開平２−３４１２６号公報
【発明の開示】
【発明が解決しようとする課題】
【０００５】
しかしながら、上記の従来知られた浴槽等の設備では、入浴者が快適に又は心地良く入浴を楽しめない状況が生じている。すなわち、特許文献１で提案されたような一対の凸部間に入浴者の頭部が入り込むようにすると、つまり入浴者の頭部を左右から挟み込むようにすると、入浴者の頭部をあたかも拘束するようになり入浴者の自由を阻害しかねないことになる。又、設置スペース上、再生用スピーカとしてはごく小型のものを使用せざるを得ない上に、耳元で最低限の音量で再生させるため、低音域の再生能力を十分には確保し得ないという不都合があり、入浴者に提供し得る音楽品質にも問題がある。又、特許文献２又は特許文献３で提案されたようなボディソニックを入浴者に体感させるようにすると、かかるボディソニックの体感が主目的であって、その体感を得るために入浴するという場合であれば、好適なものになるかもしれないものの、入浴によりリラックスすることが主目的であって、より深い心地良さ・快適さを得るために音楽を聴きたいという入浴者にとっては逆効果になりかねないものになる。要するに、入浴によりリラックスしたいにも拘わらず、リラックスできずに逆に不快感を生じさせてしまうことになりかねないのである。
【０００６】
このような不快感は、浴槽壁や、浴槽内の湯水が振動してしまうことに起因するものと考えられる。その一方、高品質の音楽の提供による心地良さの付与という観点からは低音域の十分なる再生が不可欠であるため、かかる低音域の再生により上記の如き振動を生じさせないようにする必要がある。さらに、入浴によってより深い心地良さを得る上で、浴槽内で身体をリラックスさせつつ、頭部をもリラックスさせた状態に支持し得る手段が必要になる。
【０００７】
本発明は、このような事情に鑑みてなされたものであり、その目的とするところは、浴槽壁や浴槽内の湯水に振動を伝達させることなく低音域を十分に再生させて、高品質の音楽付与と心地良い入浴環境の確保との両立を図り得る浴槽用頭部支持具を提供することにある。
【課題を解決するための手段】
【０００８】
上記目的を達成するために、本発明では、浴槽内の入浴者の頭部を支持するように構成される一方、音声再生用のスピーカ部が内蔵された浴槽用頭部支持具を対象にして、上記スピーカ部として、空気振動式のスピーカと、骨伝導式の骨伝導スピーカとを備えることとした（請求項１）。
【０００９】
この発明の場合、頭部を支持するための頭部支持具に対し空気振動式のスピーカに加え、骨伝導スピーカも備えられているため、空気振動式のスピーカから耳元への音楽再生に加え、入浴者の頭部に対し骨伝導に基づく音楽再生も伝達させ得ることになる。これにより、入浴中において頭部を頭部支持具に支持させてリラックスした状態の入浴者に対し、高品質の音楽を付与することが可能になり、かかる高品質の音楽の付与によりより深い心地良さを与えることが可能になる。又、従来のボディソニックのような設備によればその振動が浴室外にも伝わることによる影響も懸念されるが、本発明の場合ではそのような影響を及ぼすおそれは殆どない。
【００１０】
この発明においては、上記骨伝導スピーカを中央寄りの位置に配置する一方、その骨伝導スピーカが左右両側から挟まれるように空気振動式のスピーカを配置することができる（請求項２）。このようにすることにより、骨伝導スピーカを入浴者の頭部（後頭部）により確実に密着させて、骨伝導スピーカから再生される音声の骨伝導をより確実に実現させ得ることになる。
【００１１】
又、本発明の浴槽用頭部支持具として、形状を保持し得る硬質の支持具本体と、入浴者の頭部を軟支持し得る軟質の頭部支持部とを備えたものとし、上記頭部支持部を上記支持具本体の中央部位に配設する一方、この頭部支持部内の上表面寄り位置に位置するよう上記骨伝導スピーカを内蔵させるようにすることもできる（請求項３）。このように支持具本体と頭部支持部とに分けることにより、浴槽近傍の設置物としての適合性と、入浴者の頭部を快適に支持するための機能性との双方を好適に実現させ得るものとなる。その上に、頭部支持部を中央部位に配設してこれに骨伝導スピーカを内蔵させているため、入浴者の頭部に対し骨伝導スピーカをより一層確実に密着させて骨伝導スピーカからの音声再生を入浴者に対し確実に伝達させることが可能になる。
【００１２】
上記の如く支持具本体と頭部支持部とに分ける場合には、上記頭部支持部として、入浴者の頭部が載せられてその頭部からの荷重が作用した状態においても骨伝導スピーカが支持具本体側に対し非接触状態を維持するように骨伝導スピーカを内蔵支持する構成とすることが望ましい（請求項４）。この場合には、頭部を支持した状態であっても、骨伝導スピーカからの振動が支持具本体側に伝達されることはなく、つまり支持具本体側への振動伝達を遮断させることが可能となる。この結果、そのような振動の伝達に起因して入浴者に不快感を生じさせるおそれを完全に回避して、入浴中の快適性や心地良いリラックスを確実に担保し得るものとなる。
【００１３】
さらに、以上の如き頭部支持具に設置する骨伝導スピーカから低音域を再生させる構成とすることにより（請求項５）、空気振動式のスピーカによる能力不足を補って低音域についても入浴者に対し付与することが可能になる。
【００１４】
一方、以上の浴槽用頭部支持具においては、上記スピーカ部に対し外部から信号及び／又は電源を供給する接続線を着脱可能に接続するためのコネクタ構造を配設し、このコネクタ構造として防水用の壁を介して非接触で導通接続し得る構成を採用してもよい（請求項６）。このようにすることにより、浴槽近傍への設置物として防水性能をより完全なものとなし得る上に、信号供給や電源供給のための接続線の接続を容易に行い得ることになる。
【発明の効果】
【００１５】
以上、説明したように、請求項１〜請求項６のいずれかの浴槽用頭部支持具によれば、空気振動式のスピーカから耳元への音楽再生に加え、入浴者の頭部に対し骨伝導に基づく音楽再生も伝達させることができるようになる。これにより、入浴中において頭部を頭部支持具に支持させてリラックスした状態の入浴者に対し、高品質の音楽を付与することができ、かかる高品質の音楽の付与によりより深い心地良さを与えることができるようになる。加えて、従来のボディソニックのような設備によればその振動が浴室外にも伝わることによる影響も懸念されるのに対し、本発明によれば、そのような影響を及ぼすおそれも殆どなく、かかる不都合を解消させることができる。
【００１６】
特に、請求項２によれば、骨伝導スピーカを入浴者の頭部に対しより確実に密着させて、骨伝導スピーカから再生される音声の骨伝導をより確実に実現させることができるようになる上に、空気振動式のスピーカからの再生音をより確実に入浴者の耳元に対し伝搬させることができるようになる。
【００１７】
請求項３によれば、支持具本体と頭部支持部とに分けることにより、浴槽近傍の設置物としての適合性と、入浴者の頭部を快適に支持するための機能性との双方を好適に実現させることができる上に、入浴者の頭部に対し骨伝導スピーカをより一層確実に密着させて骨伝導スピーカからの音声再生を入浴者に対し確実に伝達させることができるようになる。
【００１８】
請求項４によれば、頭部支持部により頭部が支持された状態であっても、骨伝導スピーカからの振動が支持具本体側に伝達されることを遮断することができ、このような振動の伝達に起因して入浴者に不快感を生じさせるおそれを完全に回避することができる。これにより、入浴中の快適性や心地良いリラックスを確実に担保することができるものとなる。
【００１９】
請求項５によれば、空気振動式のスピーカによる能力不足を補って低音域についても入浴者に対し付与することができ、入浴者に対する音楽再生として最も適したものにすることができる。
【００２０】
請求項６によれば、非接触で導通接続し得るコネクタ構造の配設により、浴槽近傍への設置物として防水性能をより完全なものとすることができる上に、信号供給や電源供給のための接続線の接続を容易に行うことができるようになる。
【発明を実施するための最良の形態】
【００２１】
以下、本発明の実施形態を図面に基づいて説明する。
【００２２】
図１は、浴室Ｙ内において浴槽２の背もたれ側の浴槽フランジ２１上に、本発明の実施形態に係る浴槽用頭部支持具３を設置した例を示す。つまり、浴槽２内に入浴者Ｍが斜めに寝た状態で頭部を支持するように浴槽フランジ２１に形成される枕、いわゆるバスピローの如く設置したものである。
【００２３】
上記頭部支持具３は、入浴者Ｍの頭部幅よりも横に長い全体形状を有する所定形状の筐体４と、この筐体４の中央位置に形成された凹部４１に対し嵌め込んで固定したクッション体５とを備えて形成されたものであり、上記筐体４には空気振動式の再生用スピーカ６，６が設置され、上記クッション体５には特に低音域の再生用に骨伝導スピーカ７，７，が設置されている。上記筐体４は、通常程度の荷重が作用してもそれに抵抗して形状を保持し得る程度の比較的硬質材料（例えば合成樹脂）を用いて形成されており、この筐体４が本発明における硬質の支持具本体を構成する。一方、上記クッション体５は入浴者Ｍが頭部を載置するとその自重を受けて変形し所定のクッション性を発揮して頭部を支持するものの、たとえ変形したとしても上記骨伝導スピーカ７，７を筐体４の構成壁に接触させない程度の強さを保有している。このクッション体５が本発明における所定の弾性を備えつつも頭部を快適に支持する軟質の頭部支持部を構成する。以下、これらの構造について詳細に説明する。
【００２４】
図２(ａ)は上記の頭部支持具３の平面図を、図２(ｂ)はその断面説明図をそれぞれ示している。筐体４は中空の枕形を想定した形状とされており、左右両側部位である堤部４２，４２が中央部位よりも高く又中央側に若干低くなる傾斜に形成されている。そして、この堤部４２，４２に対しそれぞれスピーカ６がゴム系パツキン８１を介して固定されている。各スピーカ６は防水形のもので構成され、その上面であるスピーカ面６１が堤部４２と面一になるように上方に臨んで設置されている。筐体４の中央部位には上記の凹部４１が前後方向（図２（ａ）の上下方向、図１では入浴者Ｍの頭部の上下方向）に開口するような溝状のものとして形成され、この凹部４１に対し上記クッション体５が例えば接着等により取り付けられている。このクッション体５は上面が全体にＶの字状に凹まされ、入浴者Ｍ（図１参照）の頭部を載せ易いように設定されている。このクッション体５の中央位置が最も低く、左右両側に徐々に高くなるように傾斜面とされ、クッション体５の左右端から筐体４の各堤部４２に滑らかに連続するように形状設定されている。
【００２５】
上記クッション体５はポリウレタンフォーム等の弾性緩衝素材により形成され、その左右両側の傾斜上面には骨伝導スピーカ７，７が埋め込まれている。各骨伝導スピーカ７はその骨伝導部７１が傾斜上面に面一に露出するように配置され、この状態で各骨伝導スピーカ７とクッション体５の上表面が弾性防水被膜８２により覆われている。各骨伝導スピーカ７は、図３に示すようにクッション体５上に入浴者の頭部Ｈが載せられた際に、その頭部Ｈの後頭部に密着して骨伝導により低音域の音が聴取し得ることになるように、位置設定されている。加えて、入浴者の頭部Ｈが載せられてその自重によりクッション体５が弾性変形して下に沈み込んだとしても、内部に埋め込んだ両骨伝導スピーカ６，６が凹部４１を構成する筐体４の構成壁４３に対し接触しないように、クッション体５の形成素材の弾性特性の設定、又は、クッション体５の厚みの設定（凹部４１の深さの設定）、あるいは、これら弾性特性設定及び厚み設定の双方の設定がなされている。要するに入浴者の頭部Ｈを弾性変形により心地良く支持しつつも、骨伝導スピーカ６，６からの振動が筐体４に対し伝達されてしまうことを阻止する、という特性設定がクッション体５に対しなされているのである。
【００２６】
図２(ｂ)中の符号８５，８５は吸着部材であり、これら吸着部材８５，８５は筐体４の裏面に例えば３個以上取り付けられ、浴槽フランジ２１の上面に対し頭部支持具３を仮固定し得るようにするものである。このような吸着部材８５，８５により構成される取付手段は、既設の浴槽２に対し頭部支持具３を後付け（後になってから設置）し得るようにするためのものであり、上記の吸着部材８５に限らず、粘着シートもしくは両面接着シート等の他の手段を用いてもよい。あるいは、図２(ｂ)に二点鎖線で示す浴槽フランジ２１の如く、凹所を予め浴槽に形成しておき、頭部支持具３を固定的に組み込むようにしてもよい。
【００２７】
又、同図中の符号６２，６２はそれぞれスピーカ６の電源供給を兼ねる信号線であり、又、符号７２，７２はそれぞれ骨伝導スピーカ２の電源供給を兼ねる信号線である。これら各信号線６２，７２は例えばゴムブッシュ８３や防水蓋８４を介して筐体４の外に導出され、所定の回路に接続されるようになっている。このような信号線６２，７２の筐体４外への導出の態様としては、上記以外に、例えば図４（ａ）に示すように筐体４の側壁又は裏面壁に凹所４４を形成し、この凹所４４の構成壁を貫通する端子８５，８５を予め配設しておき、この端子８６，８６を用いて内部の信号線６２，７２に対し、外部からの配線を後の配線作業により接続可能にしてもよい。図４（ｂ）には筐体４の側方に配線する場合を示している。
【００２８】
さらに、図５には筐体４やスピーカ６，７の配線等の防水に完璧を期すために採用される、非接触式のコネクタ構造を示している。図５（ａ）は磁石を用いたものを示し、図５（ｂ）は係止爪を用いたものを示す。
【００２９】
すなわち、図５（ａ）に示すコネクタ構造９ａは、頭部支持具３の外部から信号等を入力するための入力側のコンタクト部９１ａと、内部のスピーカ６，７に接続されている出力側の受け部９２ａとからなり、コンタクト部９１ａに内蔵した磁石９１１と、受け部９２ａに設けた磁石９２１との吸着力によって、コンタクト部９１ａと受け部９２ａとを互いの密閉防水ケースの壁９１２，９２２を介して非接触の状態で入出力のための導通を可能とするものである。上記の壁９１２としてはコンタクト部９１ａを覆う外装ケースであり、壁９２２としては筐体４の例えばコネクタ用の凹所の構成壁である。上記のコンタクト部９１ａの内部には入力側のコア（鉄心）９１３，９１３と、それらに巻き付けられた入力側の巻線９１４，９１４とが配設される一方、上記の受け部９２ａの内部にも出力側のコア（鉄心）９２３，９２３と、それらに巻き付けられた出力側の巻線９２４，９２４とが配設されている。要するに、トランスのコア部分を入力側９１３と出力側９２３とに分割して分離することでそれぞれを密閉防水ケースに内蔵させ得るようにする一方、導通接続の保持を上記の磁石９１１，９２１の磁力により行わせるようにしたものである。以上のコネクタ構造の採用により、完全防水構造を実現させることができる一方、信号供給（例えばオーディオ信号・パルス信号等の電圧変動信号）や交流電源の供給が可能となる。なお、同図中の符号９１５はコンタクト部９１ａの受け部９２ａへの接続の際のガイドである。
【００３０】
図５（ｂ）に示すコネクタ構造９ｂは、図５（ａ）に示すコネクタ構造の磁石９１１，９２１に代えて、コンタクト部９１ｂと受け部９２ｂとを着脱可能に保持する手段として係止爪９１６，９１６と、この係止爪９１６が係脱可能に係止する係合段部９２６，９２６との組み合わせを採用したものである。その他の構成は図５（ａ）と同様である。
【００３１】
以上の頭部支持具３においては、入浴者が浴槽２内に入ってお湯の中に横たわり頭部Ｈ（特に図１及び図３参照）を頭部支持具３のクッション体５の上に載せると、クッション体５は弾性変形して沈み込み、頭部Ｈの特に後頭部の両側部位がそれぞれ骨伝導スピーカ７の上面（骨伝導のための振動部）に密着した状態で弾性支持されることになる。この状態で、スピーカ６，６で例えば中高温域の音声を再生させる一方、骨伝導スピーカ７，７では特に低音域の音声又は中低音域の音声を再生させれば、２ウェイ以上の音声再生を実現させることができ高品質の音楽を聴取させることができる。その際、各スピーカ７からは空気振動による伝達ではあるが耳元に対し直近から再生音を入力させることができる上に、各骨伝導スピーカ７からは骨伝導によって直接に低音域の再生音を伝達入力させることができる。なお、スピーカ６，６と骨伝導スピーカ７，７の双方で全周波数域の音声を再生させてもよい。この場合、スピーカ６，６では薄型であって振動面やストローク等の物理特性により低周波数域の再生能力が出にくい状況にあっても、骨伝導スピーカ７，７がそれを補って低音域まで確実に再生させることが可能となる。
【００３２】
その上に、上記クッション体５により頭部Ｈが支持されて骨伝導スピーカ７，７による低音域の音声の伝達が入浴者に対し行われていても、その骨伝導スピーカ７，７は筐体４の構成壁４３と互いに離れた状態に維持されるため、骨伝導スピーカ７，７の振動が筐体４や浴槽２に伝達されることを確実に遮断して回避することができる。これにより、頭部支持具３自体が振動したり、浴槽２の壁が振動したりして入浴者に不快感を抱かせる事態の発生を阻止して、浴槽２内に入浴している入浴者を落ち着いた静かな環境下で高品質の音楽を聴かせることができる。この結果、リラックスし得る入浴環境を維持しつつ、低音域を加味した高品質な音楽を付与することができ、これにより、浴室での心地良い快適な時間を入浴者に過ごさせることができる。
【００３３】
＜他の実施形態＞
なお、本発明は上記実施形態に限定されるものではなく、その他種々の実施形態を包含するものである。すなわち、上記実施形態では、骨伝導スピーカとして２つのものを備えるようにしているが、これに限らず、１つだけ設置するようにしてもよい。
【００３４】
又、上記実施形態では頭部支持具３を浴槽フランジ２１上に設置した例を示したが、これに限らず、浴室Ｙの構成壁であって、浴槽２の背もたれ側の壁面ｙに対し頭部支持具３を設置するようにしてもよい。この場合には、浴槽２内に入浴者が座した状態で入浴者Ｍの後頭部が当たる位置の上記壁面ｙに頭部支持具３を取り付けるようにすればよい。
【００３５】
筐体４を省略して頭部支持具の全体形状をクッション体５と同じ素材で形成することもできる。つまり、全体をクッション体とするのである。そして、そのクッション体に上記実施形態と同様位置にスピーカ６，６，と、骨伝導スピーカ７，７を埋め込み設置する。このようにした場合であっても、頭部が載っかってその荷重により弾性変形したとしても、骨伝導スピーカはクッション体の内部で浮いた状態に保持されるため、この頭部支持具を設置した対象に対し骨伝導スピーカからの振動の伝達を遮断させることができる。これによっても、浴槽への振動伝達がなく、従って、静かな入浴環境の維持と、上記の骨伝導スピーカからの低音域の伝達による高品質の音楽付与との双方の両立を実現させることができる。
【図面の簡単な説明】
【００３６】
【図１】本発明の実施形態に係る頭部支持具を浴槽に適用した場合の浴室内の部分斜視図である。
【図２】図２(ａ)は頭部支持具の平面図であり、図２(ｂ)は頭部支持具の断面説明図である。
【図３】頭部支持具上に入浴者が頭部を載せた状態における図２(ｂ)対応図である。
【図４】筐体からの信号線の導出形態の断面説明であり、図４（ａ）は端子を用いて下方向に導出する場合を、図４（ｂ）は同じく側方に導出する場合をそれぞれ示す。
【図５】信号線の接続形態として非接触でのコネクタ構造の断面説明図であり、図５（ａ）は磁石を用いた場合を、図５（ｂ）は係止爪を用いた場合をそれぞれ示す。
【符号の説明】
【００３７】
２      浴槽
３      頭部支持具
４      筐体（支持具本体）
５      クッション体（頭部支持部）
６      スピーカ（空気振動式のスピーカ）
７      骨伝導スピーカ
９ａ，９ｂ  コネクタ構造
９１２，９２２    壁（防水用の壁）
【図１】
2007228306.tif 000003
【図２】
2007228306.tif 000004
【図３】
2007228306.tif 000005
【図４】
2007228306.tif 000006
【図５】
2007228306.tif 000007